(57)【要約】【課題】柱に対するコーナー部材の相対位置を調整し易くすることができるコーナー部材の取付構造及びコーナー部材の取付方法を提供する。【解決手段】柱１０とコーナーカバー１００とを接続する接続部材３０を具備し、接続部材３０は、コーナーカバー１００のフレーム上面部１１１にボルトｂで固定される載置部３１、及び載置部３１から立設して柱１０の右側面及び前側面に固定される立設部３２を具備し、フレーム上面部１１１には、ボルトｂを挿通する複数のボルト挿通孔１１１ａが形成され、載置部３１には、柱１０の右側面と対向する第一領域Ｘ、柱１０の前側面と対向する第二領域Ｙ、及び第一領域Ｘと第二領域Ｙとの間に設けられる第三領域Ｚが形成され、載置部３１は、第三領域Ｚ内に、かつ、複数のボルト挿通孔１１１ａと対応する位置に、ボルト挿通孔１１１ａよりも大径に形成されてボルトｂを挿通する複数のボルト挿通孔３１ａを具備する。【選択図】図６
2019112883.tif 000002
【特許請求の範囲】
【請求項１】
柱に、外壁の出隅を形成するコーナー部材を取り付けるコーナー部材の取付構造であって、
前記柱と前記コーナー部材とを接続する接続部材を具備し、
前記接続部材は、
前記コーナー部材の上面に載置されて上方からボルトで固定される載置部、及び前記載置部から立設して、前記柱の側面のうち隣接する２つの側面に固定される立設部を具備し、
前記コーナー部材の上面には、前記ボルトを挿通する複数の第一挿通孔が形成され、
前記載置部には、
前記柱の前記隣接する２つの側面の一方と対向する第一領域、前記柱の前記隣接する２つの側面の他方と対向する第二領域、及び前記第一領域と前記第二領域との間に設けられる第三領域が形成され、
前記載置部は、
前記第三領域内に、かつ、前記複数の第一挿通孔と対応する位置に、前記第一挿通孔よりも大径に形成されて前記ボルトを挿通する複数の第二挿通孔を具備する、
コーナー部材の取付構造。
【請求項２】
前記コーナー部材の取付けの際の吊上げに用いられる治具を取り付けるための治具取付部を具備し、
前記治具取付部は、
前記載置部に設けられ前記治具を挿通する治具挿通孔を具備する、
請求項１に記載のコーナー部材の取付構造。
【請求項３】
前記治具取付部は、
前記コーナー部材の上面に、かつ、前記治具挿通孔と対応する位置に設けられ、前記治具と係合可能な治具係合部を具備する、
請求項２に記載のコーナー部材の取付構造。
【請求項４】
前記治具挿通孔は、
前記第一領域及び前記第二領域それぞれに設けられる、
請求項２又は請求項３に記載のコーナー部材の取付構造。
【請求項５】
柱に、接続部材を用いて外壁の出隅を形成するコーナー部材を取り付けるコーナー部材の取付方法であって、
前記接続部材は、
前記コーナー部材の上面に載置されて上方からボルトで固定される載置部、及び前記載置部から立設して、前記柱の側面のうち隣接する２つの側面に固定される立設部を具備し、
前記コーナー部材の上面には、前記ボルトを挿通する複数の第一挿通孔が形成され、
前記載置部には、
前記柱の前記隣接する２つの側面の一方と対向する第一領域、前記柱の前記隣接する２つの側面の他方と対向する第二領域、及び前記第一領域と前記第二領域との間に設けられる第三領域が形成され、
前記載置部は、
前記第三領域内に、かつ、前記複数の第一挿通孔と対応する位置に、前記第一挿通孔よりも大径に形成されて前記ボルトを挿通する複数の第二挿通孔を具備し、
前記載置部には、前記コーナー部材の取付けの際の吊上げに用いられる治具を挿通する治具挿通孔が形成され、
前記コーナー部材の上面には、前記治具挿通孔と対応する位置に設けられ、前記治具と係合可能な治具係合部が形成され、
前記コーナー部材の取付方法は、
前記接続部材の前記載置部を、前記コーナー部材の上面に載置して上方から前記ボルトで締結するボルト締結工程と、
前記治具を、前記治具挿通孔に挿通し前記治具係合部と係合させることによって前記コーナー部材に取り付ける治具取付工程と、
前記治具を用いて前記コーナー部材を吊り上げながら所定位置に移動させる移動工程と、
前記接続部材の前記立設部を前記柱の前記２つの側面に固定する固定工程と、
前記ボルトを緩めて前記接続部材に対する前記コーナー部材の位置を調整する位置調整工程と、
前記位置調整工程で調整した位置で緩めたボルトを再び締結するボルト再締結工程と、
を具備する、
コーナー部材の取付方法。
【請求項６】
前記治具挿通孔は、
前記第一領域及び前記第二領域それぞれに設けられる、
請求項５に記載のコーナー部材の取付方法。
【発明の詳細な説明】
【技術分野】
【０００１】
本発明は、建物の外壁の出隅を形成するコーナー部材の取付構造及びコーナー部材の取付方法の技術に関する。
【背景技術】
【０００２】
従来、建物の外壁の出隅を形成するコーナー部材の取付構造及びコーナー部材の取付方法の技術は公知となっている。例えば、特許文献１に記載の如くである。
【０００３】
特許文献１には、柱に固定金具を予め取り付けておき、当該固定金具をコーナーパネルとボルト及びナットで共締めすることで、コーナーパネルを柱に取り付ける構成が記載されている。
【０００４】
しかしながら、特許文献１に記載の技術においては、固定金具は、平面視Ｌ字状のコーナーパネルの裏面側（Ｌ字形状の内側）に納まるように固定されているため、固定金具を柱に固定した状態では、コーナーパネルは固定金具の当接面によって移動が制限される。このため、コーナーパネルの水平方向の位置を調整するのが困難であった。このように、特許文献１に記載の技術においては、柱に対するコーナーパネルの相対位置の調整のし易さについて改善の余地があった。
【先行技術文献】
【特許文献】
【０００５】
【特許文献１】特開２０１５−５９４０６号公報
【発明の概要】
【発明が解決しようとする課題】
【０００６】
本発明は以上の如き状況に鑑みてなされたものであり、その解決しようとする課題は、柱に対するコーナー部材の相対位置を調整し易くすることができるコーナー部材の取付構造及びコーナー部材の取付方法を提供することである。
【課題を解決するための手段】
【０００７】
本発明の解決しようとする課題は以上の如くであり、次にこの課題を解決するための手段を説明する。
【０００８】
即ち、請求項１においては、柱に、外壁の出隅を形成するコーナー部材を取り付けるコーナー部材の取付構造であって、前記柱と前記コーナー部材とを接続する接続部材を具備し、前記接続部材は、前記コーナー部材の上面に載置されて上方からボルトで固定される載置部、及び前記載置部から立設して、前記柱の側面のうち隣接する２つの側面に固定される立設部を具備し、前記コーナー部材の上面には、前記ボルトを挿通する複数の第一挿通孔が形成され、前記載置部には、前記柱の前記隣接する２つの側面の一方と対向する第一領域、前記柱の前記隣接する２つの側面の他方と対向する第二領域、及び前記第一領域と前記第二領域との間に設けられる第三領域が形成され、前記載置部は、前記第三領域内に、かつ、前記複数の第一挿通孔と対応する位置に、前記第一挿通孔よりも大径に形成されて前記ボルトを挿通する複数の第二挿通孔を具備するものである。
【０００９】
請求項２においては、前記コーナー部材の取付けの際の吊上げに用いられる治具を取り付けるための治具取付部を具備し、前記治具取付部は、前記載置部に設けられ前記治具を挿通する治具挿通孔を具備するものである。
【００１０】
請求項３においては、前記治具取付部は、前記コーナー部材の上面に、かつ、前記治具挿通孔と対応する位置に設けられ、前記治具と係合可能な治具係合部を具備するものである。
【００１１】
請求項４においては、前記治具挿通孔は、前記第一領域及び前記第二領域それぞれに設けられるものである。
【００１２】
請求項５においては、柱に、接続部材を用いて外壁の出隅を形成するコーナー部材を取り付けるコーナー部材の取付方法であって、前記接続部材は、前記コーナー部材の上面に載置されて上方からボルトで固定される載置部、及び前記載置部から立設して、前記柱の側面のうち隣接する２つの側面に固定される立設部を具備し、前記コーナー部材の上面には、前記ボルトを挿通する複数の第一挿通孔が形成され、前記載置部には、前記柱の前記隣接する２つの側面の一方と対向する第一領域、前記柱の前記隣接する２つの側面の他方と対向する第二領域、及び前記第一領域と前記第二領域との間に設けられる第三領域が形成され、前記載置部は、前記第三領域内に、かつ、前記複数の第一挿通孔と対応する位置に、前記第一挿通孔よりも大径に形成されて前記ボルトを挿通する複数の第二挿通孔を具備し、前記載置部には、前記コーナー部材の取付けの際の吊上げに用いられる治具を挿通する治具挿通孔が形成され、前記コーナー部材の上面には、前記治具挿通孔と対応する位置に設けられ、前記治具と係合可能な治具係合部が形成され、前記コーナー部材の取付方法は、前記接続部材の前記載置部を、前記コーナー部材の上面に載置して上方から前記ボルトで締結するボルト締結工程と、前記治具を、前記治具挿通孔に挿通し前記治具係合部と係合させることによって前記コーナー部材に取り付ける治具取付工程と、前記治具を用いて前記コーナー部材を吊り上げながら所定位置に移動させる移動工程と、前記接続部材の前記立設部を前記柱の前記２つの側面に固定する固定工程と、前記ボルトを緩めて前記接続部材に対する前記コーナー部材の位置を調整する位置調整工程と、前記位置調整工程で調整した位置で緩めたボルトを再び締結するボルト再締結工程と、を具備するものである。
【００１３】
請求項６においては、前記治具挿通孔は、前記第一領域及び前記第二領域それぞれに設けられるものである。
【発明の効果】
【００１４】
本発明の効果として、以下に示すような効果を奏する。
【００１５】
請求項１においては、柱に対するコーナー部材の相対位置を調整し易くすることができる。
【００１６】
請求項２においては、コーナー部材の吊り上げによるコーナー部材の上面の変形を抑制することができる。
【００１７】
請求項３においては、コーナー部材の吊り上げによるコーナー部材の上面の変形を抑制することができる。
【００１８】
請求項４においては、互いに比較的離れた箇所（第一領域及び第二領域それぞれ）に治具が取り付けられることとなるため、コーナー部材を安定した姿勢で吊り上げることができる。
【００１９】
請求項５においては、柱に対するコーナー部材の相対位置を容易に調整することができる。
【００２０】
請求項６においては、互いに比較的離れた箇所（第一領域及び第二領域それぞれ）に治具が取り付けられることとなるため、コーナー部材を安定した姿勢で吊り上げることができる。
【図面の簡単な説明】
【００２１】
【図１】本発明の一実施形態に係る取付構造の一部を示した上方斜視図。
【図２】柱の一部を示した上方斜視図。
【図３】（ａ）コーナーカバーの一部を示した分解斜視図。（ｂ）コーナーカバーを示した平面図。
【図４】コーナーフレームのフレーム上面部を示した下方斜視図。
【図５】コーナーカバー及び接続部材の一部を示した上方斜視図。
【図６】接続部材を示した平面図。
【図７】接続部材とフレーム上面部との接続部分を示した断面図。
【図８】コーナーカバーの取付方法を示したフローチャート。
【図９】ボルト締結工程において接続部材をコーナーカバーに固定する様子を示した上方斜視図。
【図１０】治具取付工程において吊り治具をコーナーカバーに固定する様子を示した上方斜視図。
【図１１】移動工程においてコーナーカバー及び接続部材を柱への取付位置に移動させた状態を示した上方斜視図。
【図１２】固定工程において接続部材を柱の右側面に固定する様子を示した上方斜視図。
【図１３】固定工程において接続部材を柱の前側面に固定する様子を示した上方斜視図。
【図１４】位置調整工程においてボルトを緩めて位置調整を行う様子を示した上方斜視図。
【発明を実施するための形態】
【００２２】
以下の説明においては、図中に記した矢印に従って、上下方向、左右方向及び前後方向をそれぞれ定義する。
【００２３】
以下では、図１から図７までを用いて、本発明の一実施形態に係る取付構造の構成の概要について説明する。
【００２４】
本実施形態に係る取付構造は、建物のコーナー部分において外壁の出隅を形成するコーナーカバー１００を、柱１０に取り付けるためのものである。本実施形態に係る取付構造は、柱１０、コーナーカバー１００及び接続部材３０を具備する。
【００２５】
図１及び図２に示す柱１０は、建物の躯体の一部を構成するものである。柱１０は、長手方向を上下方向に向けた四角柱状に形成される。柱１０は、建物の出隅に位置するように設けられる。柱１０の上下中途部には柱固定金物１１が設けられる。
【００２６】
図１及び図２に示す柱固定金物１１は、後述する接続部材３０が固定されるものである。柱固定金物１１は、板材を適宜屈曲させて形成され、板面が概ね左右方向に向く右側部分と、板面が概ね前後方向に向く前側部分とにより構成される。柱固定金物１１の当該右側部分及び前側部分はそれぞれ、柱１０の側面のうち外側（室外側）の隣接する２つの側面（右側面及び前側面）に沿うように形成される。柱固定金物１１は、貫通孔１１ａ及びナット１１ｂを具備する。
【００２７】
図２に示す貫通孔１１ａは、接続部材３０を固定するためのボルトｂを挿通するための孔である。貫通孔１１ａは、柱固定金物１１を板厚方向に貫通するように形成される。貫通孔１１ａは、柱固定金物１１の右側部分及び前側部分それぞれに形成される。
【００２８】
図２に示すナット１１ｂは、接続部材３０を固定するためのボルトｂが螺合する雌ねじ部材である。ナット１１ｂは、柱固定金物１１の裏面側（柱固定金物１１の右側部分の左方を向く面、及び柱固定金物１１の前側部分の後方を向く面）に、貫通孔１１ａと対応する位置に形成される。
【００２９】
図１及び図３から図５に示すコーナーカバー１００は、外壁部分の出隅を形成するものである。コーナーカバー１００は、長手方向を上下方向に向けた長尺部材として形成される。コーナーカバー１００は、主としてコーナーフレーム１１０、断熱材１２０、下地鉄板１３０及びコーナー面材１４０を具備する。
【００３０】
図１及び図３から図５に示すコーナーフレーム１１０は、コーナーカバー１００の裏面側（左後部）を構成する部分である。コーナーフレーム１１０は、長手方向を上下方向に向けた長尺部材として形成される。コーナーフレーム１１０には、フレーム上面部１１１が設けられる。
【００３１】
図３、図４及び図７に示すフレーム上面部１１１は、コーナーフレーム１１０の上端部を構成するものである。フレーム上面部１１１は、板面を上下方向に向けた板状に形成される。フレーム上面部１１１は、平面視略Ｌ字状（左後部が切り欠かれた矩形状）に形成される。フレーム上面部１１１は、ボルト挿通孔１１１ａ、治具挿通孔１１１ｂ及びナット１１１ｃを具備する。
【００３２】
図３、図６及び図７に示すボルト挿通孔１１１ａは、後述する接続部材３０を固定するためのボルトｂを挿通するものである。ボルト挿通孔１１１ａは、フレーム上面部１１１を板厚方向（上下方向）に貫通するように形成される。ボルト挿通孔１１１ａは、フレーム上面部１１１の略中央部に２つ並ぶように形成される。図３（ｂ）に示すように、フレーム上面部１１１の２つの内縁辺（切り欠かれた部分の辺）の交点を点ｐ１とすると、２つのボルト挿通孔１１１ａの一方は、フレーム上面部１１１の点ｐ１の略右方に形成される。２つのボルト挿通孔１１１ａの他方は、フレーム上面部１１１の点ｐ１の略前方に形成される。２つのボルト挿通孔１１１ａは互いに前後又は左右方向に対して斜め方向に並ぶように形成される。
【００３３】
図３及び図６に示す治具挿通孔１１１ｂは、コーナーカバー１００の取付けの際の吊上げに用いられる治具（吊り治具）を取り付けるためのものである。治具挿通孔１１１ｂは、フレーム上面部１１１を板厚方向（上下方向）に貫通するように形成される。治具挿通孔１１１ｂは、フレーム上面部１１１の左端部近傍及び後端部近傍それぞれに形成される。当該後端部近傍の治具挿通孔１１１ｂは、２つのボルト挿通孔１１１ａのうち右後側のボルト挿通孔１１１ａの後側に形成される。当該左端部近傍の治具挿通孔１１１ｂは、２つのボルト挿通孔１１１ａのうち左前側のボルト挿通孔１１１ａの左側に形成される。
【００３４】
図４に示すナット１１１ｃは、接続部材３０及び前記吊り治具を固定するためのものである。ナット１１１ｃは、ボルト挿通孔１１１ａ及び治具挿通孔１１１ｂと対応する位置（平面視においてボルト挿通孔１１１ａ及び治具挿通孔１１１ｂと重複する位置）において、フレーム上面部１１１の裏面側（下方を向く面）に固定される。ボルト挿通孔１１１ａと対応する位置に設けられた中央側の２つのナット１１１ｃは、接続部材３０（の載置部３１）をコーナーカバー１００（のフレーム上面部１１１）に固定するためのボルトｂと螺合するように形成される。治具挿通孔１１１ｂと対応する位置に設けられた端側の２つのナット１１１ｃは、前記吊り治具と係合するように形成される。
【００３５】
図３に示す断熱材１２０は、室内側と室外側とを断熱するためのものである。断熱材１２０は、長手方向を上下方向に向けた長尺部材として形成される。断熱材１２０は、コーナーフレーム１１０の外側（右前側）に設けられる。
【００３６】
図１、図３及び図５に示す下地鉄板１３０は、コーナーカバー１００の下地を構成するものである。下地鉄板１３０は、長手方向を上下方向に向けた長尺部材として形成される。下地鉄板１３０は、断熱材１２０の外側（右前側）に設けられる。
【００３７】
図１、図３及び図５に示すコーナー面材１４０は、コーナーカバー１００の表面側（外壁面側）を構成するものである。コーナー面材１４０は、長手方向を上下方向に向けた長尺部材として形成される。コーナー面材１４０は、外側側面を右側及び前側に向けた平面視略Ｌ字状に形成される。コーナー面材１４０は、下地鉄板１３０の外側（右前側）に設けられる。
【００３８】
図１に示すように、コーナーカバー１００の後側及び左側には、建物の外壁部分を構成する外壁面材２０が設けられる。外壁面材２０は、矩形板状に形成される。コーナーカバー１００の後側に設けられる外壁面材２０は、板面を左右方向に向けて、柱１０の右側面（柱固定金物１１の右側部分）と対向するように設けられる。コーナーカバー１００の左側に設けられる外壁面材２０は、板面を前後方向に向けて、柱１０の前側面（柱固定金物１１の前側部分）と対向するように設けられる。
【００３９】
図１及び図５から図７に示す接続部材３０は、柱１０とコーナーカバー１００とを接続するための部材である。接続部材３０は、載置部３１及び立設部３２を具備する。
【００４０】
図１及び図５から図７に示す載置部３１は、接続部材３０のうちコーナーカバー１００と接続される部分である。載置部３１は、板面を上下方向に向けた板状に形成される。載置部３１は、平面視略Ｌ字状（左後部が切り欠かれた矩形状）に形成される。載置部３１は、コーナーカバー１００のフレーム上面部１１１に載置される。載置部３１は、ボルト挿通孔３１ａ及び治具挿通孔３１ｂを具備する。
【００４１】
図５から図７に示すボルト挿通孔３１ａは、接続部材３０（の載置部３１）をコーナーカバー１００（のフレーム上面部１１１）に固定するためのボルトｂを挿通するものである。ボルト挿通孔３１ａは、載置部３１を板厚方向（上下方向）に貫通するように形成される。ボルト挿通孔３１ａは、載置部３１の略中央部に、右後方向及び左前方向に２つ並ぶように形成される。ボルト挿通孔３１ａは、ボルト挿通孔１１１ａと対応する位置（平面視においてボルト挿通孔１１１ａと重複する位置）に形成される。
【００４２】
ここで図６に示すように、載置部３１は、平面視において、柱１０の右側面（柱固定金物１１の右側部分）と対向する領域である第一領域Ｘ、柱１０の前側面（柱固定金物１１の前側部分）と対向する領域である第二領域Ｙ、及び第一領域Ｘと第二領域Ｙとの間に設けられる領域である第三領域Ｚとに分けられる。
【００４３】
以下、第一領域Ｘ、第二領域Ｙ及び第三領域Ｚについて具体的に説明する。第一領域Ｘは、載置部３１のうち、立設部３２の右側部分の表面が向く方向に位置する領域である。より詳細には、載置部３１の２つの内縁辺（立設部３２が形成された部分の辺）の交点を点ｐ２とすると、第一領域Ｘは、平面視において、載置部３１の点ｐ２から右方へ延びる線よりも後方に位置する領域である。また、第二領域Ｙは、載置部３１のうち、立設部３２の前側部分の表面が向く方向に位置する領域である。より詳細には、第二領域Ｙは、平面視において、載置部３１の点ｐ２から前方へ延びる線よりも左方に位置する領域である。また、第三領域Ｚは、載置部３１のうち、第一領域Ｘ及び第二領域Ｙを除く領域であって、立設部３２の右側部分及び前側部分の表面が向いていない方向に位置する領域である。より詳細には、第三領域Ｚは、平面視において、載置部３１の点ｐ２から右方へ延びる線よりも前方に位置し、かつ、点ｐ２から前方へ延びる線よりも右方に位置する領域である。
【００４４】
このうち、ボルト挿通孔３１ａは、第三領域Ｚ内に設けられる。
【００４５】
また図７に示すように、ボルト挿通孔３１ａの直径φＡは、フレーム上面部１１１のボルト挿通孔１１１ａの直径φＢよりも大きい値に設定される。
【００４６】
図１、図５及び図６に示す治具挿通孔３１ｂは、前記吊り治具を挿通するものである。治具挿通孔３１ｂは、載置部３１を板厚方向（上下方向）に貫通するように形成される。治具挿通孔３１ｂは、載置部３１の左端部近傍及び後端部近傍それぞれに形成される。当該後端部近傍の治具挿通孔１１１ｂは、２つのボルト挿通孔１１１ａのうち右後側のボルト挿通孔１１１ａの後側に形成される。当該左端部近傍の治具挿通孔３１ｂは、２つのボルト挿通孔１１１ａのうち左前側のボルト挿通孔１１１ａの左側に形成される。このようにして、治具挿通孔３１ｂは、第一領域Ｘ及び第二領域Ｙ（図６参照）それぞれに、治具挿通孔１１１ｂと対応する位置（平面視において治具挿通孔１１１ｂと重複する位置）に形成される。
【００４７】
図１、図５及び図６に示す立設部３２は、接続部材３０のうち柱１０と接続される部分である。立設部３２は、載置部３１の内側（柱１０側）の縁部から上方に立ち上がるように形成される。このようにして、立設部３２は、板面を左右方向に向けた板状部分（右側部分）と、板面を前後方向に向けた板状部分（前側部分）とによって形成される。立設部３２は、柱１０の側面のうち外側の隣接する２つの側面、具体的には柱固定金物１１の右側部分と前側部分に固定される。立設部３２は、ボルト挿通孔３２ａを具備する。
【００４８】
図５に示すボルト挿通孔３２ａは、接続部材３０（の立設部３２）を柱１０（の柱固定金物１１）に固定するためのボルトｂを挿通するものである。ボルト挿通孔３２ａは、立設部３２の右側部分及び前側部分それぞれに、板厚方向に貫通するように形成される。立設部３２の右側部分に設けられたボルト挿通孔３２ａは、柱固定金物１１の右側部分に設けられた貫通孔１１ａ（図２参照）と対応する位置（側面視において当該貫通孔１１ａと重複する位置）に形成される。また、立設部３２の右側部分に設けられたボルト挿通孔３２ａは、右側（後側）の治具挿通孔３１ｂと対向する位置（当該治具挿通孔３１ｂのすぐ左側）に設けられる。一方、立設部３２の前側部分に設けられたボルト挿通孔３２ａは、柱固定金物１１の前側部分に設けられた貫通孔１１ａ（図２参照）と対応する位置（正面視において当該貫通孔１１ａと重複する位置）に形成される。また、立設部３２の前側部分に設けられたボルト挿通孔３２ａは、左側（前側）の治具挿通孔３１ｂと対向する位置（当該治具挿通孔３１ｂのすぐ後側）に設けられる。
【００４９】
次に、図１及び図８から図１４までを用いて、コーナーカバー１００を柱１０に取り付けるための取付方法について説明する。
【００５０】
本実施形態に係るコーナーカバー１００の取付方法は、図８に示すように、主としてボルト締結工程、治具取付工程、移動工程、固定工程、位置調整工程及びボルト再締結工程を具備する。
【００５１】
コーナーカバー１００の取付方法において、まずボルト締結工程が行われる（ステップＳ１０）。図９に示すように、ボルト締結工程においては、接続部材３０の載置部３１をコーナーカバー１００のフレーム上面部１１１に載置する。そして、この状態で、ボルトｂを２箇所のボルト挿通孔３１ａ及びボルト挿通孔１１１ａに上方から挿通して、ナット１１１ｃ（図４参照）に締結することで、接続部材３０をコーナーカバー１００のフレーム上面部１１１に固定する。
【００５２】
次に、治具取付工程が行われる（ステップＳ１２）。図１０に示すように、治具取付工程においては、吊り治具４０を、治具挿通孔３１ｂ及び治具挿通孔１１１ｂ（図９参照）に上方から挿通して、ナット１１１ｃ（図４参照）に係合させることで、コーナーカバー１００に取り付ける。
【００５３】
吊り治具４０は、適宜のものを使用することができるが、ナット１１１ｃの開口周縁部に引っ掛けられる引掛け段部と、開口周縁部に引掛けた引掛け段部がナット１１１ｃの孔から抜けるのを防止する抜止め材と、を具備するもの（例えば特許第５３６２９４５号公報に記載のもの）を使用することができる。
【００５４】
吊り治具４０は、接続部材３０の立設部３２の板面に対して垂直な方向から見たときに、ボルト挿通孔３２ａ及び当該ボルト挿通孔３２ａ近傍（立設部３２と柱１０とが固定される部分）と重複する位置でコーナーカバー１００に取り付けられる。すなわち、吊り治具４０は、立設部３２のボルト挿通孔３２ａ及び当該ボルト挿通孔３２ａ近傍を隠すように取り付けられる。
【００５５】
次に、移動工程が行われる（ステップＳ１４）。移動工程においては、コーナーカバー１００を、吊り治具４０を用いて吊り上げながら、図１１に示す取付位置に移動させる。
【００５６】
ここで、吊り治具４０は治具挿通孔１１１ｂ及び治具挿通孔３１ｂに挿通された状態でナット１１１ｃに係合されている。つまり、吊り治具４０によって、フレーム上面部１１１だけでなく載置部３１で補強された部分で吊り上げているため、フレーム上面部１１１の変形を抑制することができる。
【００５７】
また、吊り治具４０は、平面視において載置部３１の第一領域Ｘ及び第二領域Ｙそれぞれに設けられている。このように互いに比較的離れた位置に設けられた２つの箇所に吊り治具４０が取り付られることにより、安定した姿勢でコーナーカバー１００を吊り上げることができる。
【００５８】
次に、固定工程が行われる（ステップＳ１６）。固定工程においては、コーナーカバー１００の下部を適宜の方法で柱１０に支持されるようにした後、接続部材３０の立設部３２を柱１０（柱固定金物１１）の右側面及び前側面に固定する。
【００５９】
具体的には、図１２に示すように、まず一方の（右後側の）吊り治具４０を取り外す。そして、当該取り外した吊り治具４０と対向する位置のボルト挿通孔３２ａにボルトｂを挿通し、当該ボルトｂをナット１１ｂ（図２参照）に締結することで、立設部３２の右側部分を柱固定金物１１に固定する。
【００６０】
次に、図１３に示すように、他方の（左前側の）吊り治具４０を取り外す。そして、当該取り外した吊り治具４０と対向する位置のボルト挿通孔３２ａにボルトｂを挿通し、当該ボルトｂをナット１１ｂ（図２参照）に締結することで、立設部３２の左側部分を柱固定金物１１に固定する。
【００６１】
このように、吊り治具４０を接続部材３０から一つ取り外すごとに、当該吊り治具４０と重複していたボルト挿通孔３２ａの固定を行うことで、吊り治具４０によって接続部材３０と柱１０との固定部分（立設部３２のボルト挿通孔３２ａ及び当該ボルト挿通孔３２ａ近傍）のうち未だ固定されていない部分をできるだけ保護しつつ、接続部材３０の立設部３２を柱固定金物１１に固定することができる。
【００６２】
次に、位置調整工程が行われる（ステップＳ１８）。位置調整工程においては、図１４に示すように、まず載置部３１を固定しているボルトｂを緩める。そして、コーナーカバー１００のコーナー面材１４０の外壁面が２つの外壁面材２０の外壁面と面一となるように、接続部材３０に対するコーナーカバー１００の位置（接続部材３０に対する水平方向の相対位置）を調整する。
【００６３】
ここで、図７に示すように、ボルト挿通孔３１ａの直径φＡは、フレーム上面部１１１のボルト挿通孔１１１ａの直径φＢよりも大きい値に設定される。よって、フレーム上面部１１１に対して載置部３１を比較的大きくずらしても、当該載置部３１をフレーム上面部１１１に固定することができる。よって、コーナーカバー１００の位置調整の際、接続部材３０に対して（ひいては柱１０に対して）コーナーカバー１００を水平方向に大きく移動させることが可能となる。したがって、柱１０に対するコーナーカバー１００の相対位置を調整し易くすることができる。
【００６４】
また、２つのボルト挿通孔３１ａは、図６に示す第三領域Ｚ内に設けられており、すなわち、載置部３１の点ｐ２（図６参照）近傍において、互いに比較的近い位置に設けられている。よって、コーナーカバー１００を点ｐ２近傍を中心に水平方向に回転させて位置調整する際、ボルト挿通孔３１ａに対してボルト挿通孔１１１ａを少しずらした（回転移動させた）だけでも、点ｐ２から離れた位置では載置部３１とフレーム上面部１１１との相対位置は比較的大きくずれることとなる。よって、載置部３１とフレーム上面部１１１とを固定可能な範囲で、接続部材３０に対して（ひいては柱１０に対して）コーナーカバー１００を水平方向に大きく移動させることが可能となる。したがって、柱１０に対するコーナーカバー１００の相対位置を調整し易くすることができる。
【００６５】
次に、ボルト再締結工程が行われる（ステップＳ２０）。ボルト再締結工程においては、図１に示すように、位置調整工程（ステップＳ１８）において調整した位置で、緩めたボルトｂを再び締結する。これにより、コーナーカバー１００を適切な位置で柱１０に固定することができる。
【００６６】
このようにして、コーナーカバー１００を柱１０に固定することができる。なお、固定工程（ステップＳ１６）において、コーナーカバー１００が適切な位置に固定された場合には、位置調整工程（ステップＳ１８）及びボルト再締結工程（ステップＳ２０）は行わなくてもよい。
【００６７】
以上の如く、本実施形態に係る取付構造は、柱１０に、外壁の出隅を形成するコーナーカバー１００（コーナー部材）を取り付けるコーナーカバー１００の取付構造であって、前記柱１０と前記コーナーカバー１００とを接続する接続部材３０を具備し、前記接続部材３０は、前記コーナーカバー１００のフレーム上面部１１１（上面）に載置されて上方からボルトｂで固定される載置部３１、及び前記載置部３１から立設して、前記柱１０の側面のうち隣接する２つの側面に固定される立設部３２を具備し、前記コーナーカバー１００のフレーム上面部１１１には、前記ボルトｂを挿通する複数のボルト挿通孔１１１ａ（第一挿通孔）が形成され、前記載置部３１には、前記柱１０の前記隣接する２つの側面の一方と対向する第一領域Ｘ、前記柱１０の前記隣接する２つの側面の他方と対向する第二領域Ｙ、及び前記第一領域Ｘと前記第二領域Ｙとの間に設けられる第三領域Ｚが形成され、前記載置部３１は、前記第三領域Ｚ内に、かつ、前記複数のボルト挿通孔１１１ａと対応する位置に、前記ボルト挿通孔１１１ａよりも大径に形成されて前記ボルトｂを挿通する複数のボルト挿通孔３１ａ（第二挿通孔）を具備するものである。
このように構成することにより、柱１０に対するコーナーカバー１００の相対位置を調整し易くすることができる。
【００６８】
また、本実施形態に係る取付構造は、コーナーカバー１００の取付けの際の吊上げに用いられる吊り治具４０を取り付けるための治具取付部を具備し、前記治具取付部は、前記載置部３１に設けられ前記吊り治具４０を挿通する治具挿通孔３１ｂを具備するものである。
このように構成することにより、コーナーカバー１００の吊り上げによるコーナーカバー１００のフレーム上面部１１１の変形を抑制することができる。
【００６９】
また、前記治具取付部は、前記コーナーカバー１００のフレーム上面部１１１に、かつ、前記治具挿通孔３１ｂと対応する位置に設けられ、前記吊り治具４０と係合可能なナット１１１ｃ（治具係合部）を具備するものである。
このように構成することにより、コーナーカバー１００の吊り上げによるコーナーカバー１００のフレーム上面部１１１の変形を抑制することができる。
【００７０】
また、前記治具挿通孔３１ｂは、前記第一領域Ｘ及び前記第二領域Ｙそれぞれに設けられるものである。
このように構成することにより、互いに比較的離れた箇所（第一領域Ｘ及び第二領域Ｙそれぞれ）に吊り治具４０が取り付けられることとなるため、コーナーカバー１００を安定した姿勢で吊り上げることができる。
【００７１】
また、本実施形態に係る取付方法は、柱１０に、接続部材３０を用いて外壁の出隅を形成するコーナーカバー１００（コーナー部材）を取り付けるコーナーカバー１００の取付方法であって、前記接続部材３０は、前記コーナーカバー１００のフレーム上面部１１１（上面）に載置されて上方からボルトｂで固定される載置部３１、及び前記載置部３１から立設して、前記柱１０の側面のうち隣接する２つの側面に固定される立設部３２を具備し、前記コーナーカバー１００のフレーム上面部１１１には、前記ボルトｂを挿通する複数のボルト挿通孔１１１ａ（第一挿通孔）が形成され、前記載置部３１には、前記柱１０の前記隣接する２つの側面の一方と対向する第一領域Ｘ、前記柱１０の前記隣接する２つの側面の他方と対向する第二領域Ｙ、及び前記第一領域Ｘと前記第二領域Ｙとの間に設けられる第三領域Ｚが形成され、前記載置部３１は、前記第三領域Ｚ内に、かつ、前記複数のボルト挿通孔１１１ａと対応する位置に、前記ボルト挿通孔１１１ａよりも大径に形成されて前記ボルトｂを挿通する複数のボルト挿通孔３１ａ（第二挿通孔）を具備し、前記載置部３１には、前記コーナーカバー１００の取付けの際の吊上げに用いられる吊り治具４０を挿通する治具挿通孔３１ｂが形成され、前記コーナーカバー１００のフレーム上面部１１１には、前記治具挿通孔３１ｂと対応する位置に設けられ、前記吊り治具４０と係合可能なナット１１１ｃ（治具係合部）が形成され、前記コーナーカバー１００の取付方法は、前記接続部材３０の前記載置部３１を、前記コーナーカバー１００のフレーム上面部１１１に載置して上方から前記ボルトｂで締結するボルト締結工程と、前記吊り治具４０を、前記治具挿通孔３１ｂに挿通し前記ナット１１１ｃと係合させることによって前記コーナーカバー１００に取り付ける治具取付工程と、前記吊り治具４０を用いて前記コーナーカバー１００を吊り上げながら所定位置に移動させる移動工程と、前記接続部材３０の前記立設部３２を前記柱１０の前記２つの側面に固定する固定工程と、前記ボルトｂを緩めて前記接続部材３０に対する前記コーナーカバー１００の位置を調整する位置調整工程と、前記位置調整工程で調整した位置で緩めたボルトｂを再び締結するボルト再締結工程と、を具備するものである。
このように構成することにより、柱１０に対するコーナーカバー１００の相対位置を容易に調整することができる。
【００７２】
また、前記治具挿通孔３１ｂは、前記第一領域Ｘ及び前記第二領域Ｙそれぞれに設けられるものである。
このように構成することにより、互いに比較的離れた箇所（第一領域Ｘ及び第二領域Ｙそれぞれ）に吊り治具４０が取り付けられることとなるため、コーナーカバー１００を安定した姿勢で吊り上げることができる。
【００７３】
なお、本実施形態に係るボルト挿通孔３１ａは、第二挿通孔の実施の一形態である。
また、本実施形態に係る吊り治具４０は、治具の実施の一形態である。
また、本実施形態に係るコーナーカバー１００は、コーナー部材の実施の一形態である。
また、本実施形態に係るボルト挿通孔１１１ａは、第一挿通孔の実施の一形態である。
【００７４】
以上、本発明の一実施形態を説明したが、本発明は上記構成に限定されるものではなく、特許請求の範囲に記載された発明の範囲内で種々の変更が可能である。
【００７５】
例えば、本実施形態においては、載置部３１とフレーム上面部１１１との固定部（ボルト挿通孔３１ａ、ボルト挿通孔１１１ａ及びこれらに対応して設けられるナット１１１ｃ）は、２箇所設けられるものとしたが、３箇所以上設けられていてもよい。
【００７６】
また、本実施形態においては、ボルト挿通孔１１１ａの全体が第三領域Ｚ内に位置する（納まる）ものとしたが、ボルト挿通孔１１１ａの一部分が第三領域Ｚ内に位置していればよく、つまり、ボルト挿通孔１１１ａの他部分が第一領域Ｘ又は第二領域Ｙにはみ出していてもよい。
【００７７】
また、本実施形態においては、吊り治具４０とコーナーカバー１００との固定部（治具挿通孔３１ｂ、治具挿通孔１１１ｂ及びこれらに対応して設けられるナット１１１ｃ）は、２箇所設けられるものとしたが、１箇所設けられるものでもよく、又は３箇所以上設けられていてもよい。当該固定部が３箇所以上設けられる場合は、全ての当該固定部が平面視において第一領域Ｘ又は第二領域Ｙに設けられる必要はなく、第一領域Ｘ及び第二領域Ｙにそれぞれ１箇所以上設けられていればよい。
【００７８】
また、本実施形態においては、吊り治具４０を、コーナーカバー１００のナット１１１ｃに係合させて当該コーナーカバー１００を吊り上げるものとしたが、吊り治具４０を、例えば治具挿通孔３１ｂと対応する位置にナットを設ける等して、接続部材３０に係合させて当該コーナーカバー１００を吊り上げるものとしてもよい。
【００７９】
また、本実施形態においては、建物の出隅に位置する柱１０に、コーナーカバー１００を取り付けるものとしたが、コーナーカバー１００が取り付けられる柱１０の位置は特に限定されるものではなく、任意の位置に（外壁面材２０から独立して）設けられた柱１０にコーナーカバー１００を取り付けるものとすることができる。
【符号の説明】
【００８０】
１０      柱
３０      接続部材
３１      載置部
３１ａ    ボルト挿通孔
３１ｂ    治具挿通孔
３２      立設部
４０      吊り治具
１００    コーナーカバー
１１１    フレーム上面部
１１１ａ  ボルト挿通孔
１１１ｃ  ナット
【図１】
2019112883.tif 000003
【図２】
2019112883.tif 000004
【図３】
2019112883.tif 000005
【図４】
2019112883.tif 000006
【図５】
2019112883.tif 000007
【図６】
2019112883.tif 000008
【図７】
2019112883.tif 000009
【図８】
2019112883.tif 000010
【図９】
2019112883.tif 000011
【図１０】
2019112883.tif 000012
【図１１】
2019112883.tif 000013
【図１２】
2019112883.tif 000014
【図１３】
2019112883.tif 000015
【図１４】
2019112883.tif 000016